(57)【要約】      （修正有）【課題】２本の管を一時的に管軸方向に継合せるためのグルーブ式管継手アダプターを提供する。【解決手段】接続用管の先端が挿入される挿し口１１が一端に設けられ、他端の外径にグルーブ１２が形成され、外部両側に第１の締結固定部１４が設けられ、内周面に固定部が突出形成された円筒形の本体１０と、第２の締結固定部２１が外部両側に設けられ、挿し口を介して円筒形の本体に差し込まれる突出部２２が一面に形成された配管ソケット２０と、内周面に接続用管２の外周面を把持するための少なくとも１つ以上の楔形ギアが斜め方向に突出形成された止め輪、及び円筒形の本体の内側に配置され、内周面に凸凹部が設けられ接続用管の先端と密着する止め部が内側に突出形成されたゴム輪とを含む。【選択図】図１
2019044951.tif 000002
【特許請求の範囲】
【請求項１】
接続用管の先端が挿入される挿し口が一端に設けられ、他端の外径にグルーブが形成され、前記挿し口と連結される内側に斜め方向に案内部が設けられ、外部両側に第１の締結固定部が備えられ、内周面に固定部が突出形成された円筒形の本体と、
前記第１の締結固定部にボルト締結される第２の締結固定部が外部両側に設けられ、挿し口をを介して円筒形の本体に挿入される突出部が一面に形成された配管ソケットと、
前記円筒形の本体の挿し口側に配置され、第１の締結固定部及び第２の締結固定部のボルト締結時、突出部を介して案内部に沿って固定部側にスライド移動し、両端が離隔して形成された加圧用リングと、
前記案内部の内側に配置され、突出部を介した加圧用リングの移動時、案内部に沿ってスライド移動し、両端が離隔して形成され、内周面に接続用管の外周面を把持するための少なくとも１つ以上の楔形ギアが斜め方向に突出形成された止め輪と、
前記円筒形の本体の内側に配置され圧縮による膨張によって接続用管を把持し、内周面に凸凹部が設けられ、前記接続用管の先端と密着する止め部が内側に突出形成されたゴム輪とを含む
ことを特徴とするグルーブ式管継手アダプター。
【請求項２】
前記円筒形の本体は、挿し口が設けられた一端の直径より外径にグルーブが形成された他端の直径の方が狭く形成される
請求項１記載のグルーブ式管継手アダプター。
【請求項３】
前記楔形ギアは少なくとも２つ以上で具備され、互いに反対方向に向かって配置される
請求項１記載のグルーブ式管継手アダプター。
【請求項４】
前記円筒形の本体と配管ソケットの間に介在された水漏れ防止用のリングと、
前記円筒形の本体とゴム輪の間に介在されたゴム輪のバックアップリングと、
前記ゴム輪と止め輪の間に介在されたゴム輪の抜け止め押輪を含む
請求項１記載のグルーブ式管継手アダプター。
【請求項５】
前記接続用管は直管、Ｔ字管、またはエルボーを含む曲管で具備される
請求項１記載のグルーブ式管継手アダプター。
【発明の詳細な説明】
【技術分野】
【０００１】
本発明は、グルーブ式管継手アダプターに関するものである。より詳しくは、２本の管を一時的に管軸方向に接続して継合するためのグルーブ式管継手アダプターに関するものである。
【背景技術】
【０００２】
管継手には永久継手と取外し継手があり、一般的に永久継手には溶接する方式を用いる。一方、取付けや解体を必要とする場所などには取外し継手を使用しており、その代表的な取外し継手にはグルーブ式管継手（Ｇｒｏｏｖｅｄ  Ｊｏｉｎｔ）がある。
【０００３】
即ち、グルーブ式管継手はグルーブ溝加工機（Ｇｒｏｏｖｉｎｇ  ｍａｃｈｉｎｅ）を利用して管の先端に溝入れ加工を行った後、グルーブ式管継手を利用して整列された２本の管を管軸方向に継合するものであり、これを特許文献１を参照してさらに具体的に説明すると次のとおりである。
【０００４】
特許文献１によれば、グルーブ式管継手は２本の管の間を気密して液体の漏れを防止するリングガスケット（Ｒｉｎｇ  ｇａｓｋｅｔ）、及び該リングガスケットを内部に備え管の先端に形成されたグルーブに両端が締結され２本の管同士を接続させ管軸方向に継合する管継手カップリング（Ｊｏｉｎｔ  ｃｏｕｐｌｉｎｇ）を含んでいる。
【０００５】
ここで、上記管継手カップリングは半円形で互いに分離されており、ボルトとナットの組合せでこれらを締結することによって、外力や荷重にも管の継合を容易に保持できるようにする。
【０００６】
しかしながら、特許文献１を含めて管継手は管を継合する前に、先に上記管の先端にグルーブを加工しなければならないという問題点がある。
【０００７】
即ち、管の先端にグルーブを加工するためには、例えば特許文献２に開示しているグルーブ溝加工機を利用して現場で作業を行わなければならないが、現場ではその場の諸般の事情による不具合が生じるだけでなく、加工及び運搬にコストが発生する恐れがある。
【０００８】
尚、グルーブ溝入れ加工作業は熟練者でも加工し難いため、それだけの高い熟練度を必要とする。従って、管継手は施工費が高いのに対し、施工性及び生産性が低いという問題点がある。
【先行技術文献】
【特許文献】
【０００９】
【特許文献１】特開１０−２０１６−０４１８２９０号公報
【特許文献２】実用新案登録２０−０３０７１２８号公報
【発明の概要】
【発明が解決しようとする課題】
【００１０】
本発明の目的は、管の先端にグルーブを設けなくても２本の直管または直管、Ｔ字管または曲管などを含む各種形状及び材質の管を容易に継合できるようにしたグルーブ式管継手アダプターを提供することである。
【課題を解決するための手段】
【００１１】
上記課題を解決すべく、本発明の一実施例に係るグルーブ式管継手アダプターは接続用管の先端が挿入される挿し口が一端に設けられ、他端の外径にグルーブ（Ｇｒｏｏｖｅ）が形成され、上記挿し口と連結される内側に斜め方向に案内部が備えられ、外部両側に第１の締結固定部が設けられ、内周面に固定部が突出形成された円筒形の本体（Ｂｏｄｙ）と、上記第1の締結固定部にボルト締結される第２の締結固定部が外部両側に設けられ、挿し口を介して円筒形の本体に挿入される突出部が一面に形成された配管ソケット（Ｐｉｐｅ  ｓｏｃｋｅｔ）と、上記円筒形本体の挿し口側に配置され、第１の締結固定部及び第２の締結固定部のボルト締結時、突出部を介して案内部に沿って固定部側にスライド移動し、両端が離隔して形成された加圧用リング（Ｐｒｅｓｓｕｒｅ  Ｒｉｎｇ）と、上記案内部の内側に配置され、突出部を介した加圧用リングの移動時、案内部に沿ってスライド移動し、両端が離隔して形成され、内周面に接続用管の外周面を把持するための少なくとも一つ以上の楔形ギアが斜め方向に突出形成された止め輪（Ｓｔｏｐｐｅｒ  Ｒｉｎｇ）と、上記円筒形の本体の内側に配置され圧縮による膨張によって接続用管を把持し、内周面に凹凸部が形成され、上記接続用管の先端と密着する止め部が内側に突出形成されたゴム輪（Ｒｕｂｂｅｒ  Ｒｉｎｇ）とを含むことができる。
【００１２】
また、本発明の一実施例に係るグルーブ式管継手アダプターにおいて、上記円筒形の本体は挿し口が設けられた一端の直径より外径にグルーブが形成された他端の直径の方がが狭く形成できるようになる。
【００１３】
また、本発明の一実施例に係るグルーブ式管継手アダプターにおいて、上記楔形ギアは少なくとも２つ以上で設け、互い反対方向に向かって配置してもよい。
【００１４】
また、本発明の一実施例に係るグルーブ式管継手アダプターにおいて、上記円筒形の本体と配管ソケットの間に介在された水漏れ防止用リング（Ｐａｃｋｉｎｇ  ｒｉｎｇ）と、上記円筒形の本体とゴム輪の間に介在されたゴム輪のバックアップリング、及び上記ゴム輪と止め輪の間に介在されたゴム輪の抜け止め押輪とを含むことができる。
【００１５】
さらに本発明の一実施例に係るグルーブ式管継手アダプターにおいて、上記接続用管は直管、Ｔ字管またはエルボー（Ｅｌｂｏｗ）を含む曲管で設けることができる。
【００１６】
また、本発明の一実施例に係るグルーブ式管継手アダプターにおいて、上記円筒形の本体及び配管ソケットは鋳鉄か鋼鉄、又はステンレススチール（Ｓｔａｉｎｌｅｓｓ  ｓｔｅｅｌ）を鋳造する方法によって作製することができる。
【００１７】
また、本発明の一実施例に係るグルーブ式管継手アダプターにおいて、上記止め輪、加圧用リング及びゴム輪の抜け止め押輪はステンレススチールで備えることができる。
【００１８】
このような解決手段は添付した図面に基づいた下記発明を実施するための具体的な内容から、より明らかになる。
【００１９】
但し、本明細書および特許請求の範囲に用いた用語や単語は通常のものであり、辞典的意味で解釈してはならず、発明者が本発明を最善の方法で説明するために用語の概念を適宜定義できるという原則に基づき本発明の技術的思想に沿う意味及び概念で解釈すべきである。
【発明の効果】
【００２０】
本発明の一実施例によれば、グルーブ溝加工機を利用して接続用管の先端に溝入れ加工をしなくても２本の接続用管を容易に継合することができるので、施工性及び生産性が優れるだけでなく、コスト削減の効果も有する。
さらに、本発明の一実施例によれば、管に対する溝入れ加工がないため外径さえ合えば、互いに異なる材質の接続用管を容易に継合できるので、効率的な施工を行うことができる。
【図面の簡単な説明】
【００２１】
【図１】本発明の一実施例に係るグルーブ式管継手アダプターを示す斜視図
【図２】本発明の一実施例に係るグルーブ式管継手アダプターを示す正面図
【図３】本発明の一実施例に係るグルーブ式管継手アダプターを示す分解斜視図
【図４】本発明の一実施例に係るグルーブ式管継手アダプターを用いた接続状態を示す断面図
【図５】本発明の一実施例に係るグルーブ式管継手アダプターを示す平面図
【図６】本発明の一実施例に係るグルーブ式管継手アダプターを示す平面図
【発明を実施するための最良の形態】
【００２２】
以下、本発明の好ましい実施例を添付した図を参照して詳しく説明する。まず各図の構成要素に参照符号を付すにあたり、同一の構成要素については他の図面上に表示されてもできれば同一の符号を付するようにしたことに留意すべきである。また、本発明を説明するにあたっては、かかる公知の構成又は機能に対する具体的な説明が本発明の要旨を判りにくくする恐れがあると判断される場合には、その詳細な説明を省略する。
【００２３】
また、本発明の構成要素を説明するにあたって、第１、第２、Ａ、Ｂ、（ａ）、（ｂ）などの用語が使用できる。このような用語は、その構成要素を他の構成要素と区別するためのものであって、その用語によって当該構成要素の本質や手順または順序などが限定されない。ある構成要素が他の構成要素に「連結」、「結合」または「接続」すると記載された場合、その構成要素はその他の構成要素に直接繋がったり、或は接続できるが、各構成要素の間に他の構成要素が「連結」、「結合」または「接続」できる。
【００２４】
以下、本発明の第１の実施形態を添付した図面に基づいて具体的に説明すると次のとおりである。
【００２５】
図１は、本発明の第１の実施形態に係るグルーブ式管継手アダプター１を示す斜視図であり、円筒形の本体１０の下部に第１の締結固定部１４及び第２の締結固定部２１を介して配管ソケット２０がボルト締結され上記配管ソケット２０を介して接続用管が連結されることを示している。
【００２６】
図２は、本発明の第１の実施形態に係るグルーブ式管継手アダプター１を示す正面図であり、第１の締結固定部１４及び第２の締結固定部２１介してボルト締結される円筒形の本体１０の上部と配管ソケット２０の下部に接続用管が連結されることを示している。
【００２７】
図３は本発明の第１の実施形態に係るグルーブ式管継手アダプター１を示す分解斜視図である。図３は、円筒形の本体１０の上部にグルーブ式管継手４を配置し、下部に配管ソケット２０を配置し、上記円筒形の本体１０と配管ソケット２０の間に水漏れ防止用リング５０、加圧用リング３０、止め輪４０、ゴム輪の抜け止め押輪５２、ゴム輪６０及びゴム輪のバックアップリング５１が順次に配置された状態を示している。
【００２８】
図４は本発明の第１の実施形態に係るグルーブ式管継手アダプター１を示す断面図であり、グルーブ式管継手４を介して円筒形の本体１０の上部に接続用管を継合し、配管ソケット２０を介して加圧される止め輪４０と圧縮をによって膨張されるゴム輪６０を介して接続用管を継合することを示している。
【００２９】
図５は、本発明の第１の実施形態に係るグルーブ式管継手アダプター１を示す平面図であり、円筒形の本体１０の両側に第１の締結固定部１４が設けられたことを示している。
【００３０】
ここで、本発明の第１の実施形態に係るグルーブ式管継手アダプター１は図面の記載で実施方向が限定されるもので解釈すべきではない。即ち、通常理解される垂直方向、水平方向、又は斜め方向に実施することができる。なお、円筒形の本体１０は一字状だけでなく、エルボ形またはＴ字状で形成でき、これらは同じであると解釈すべきである。
【００３１】
但し、以下では図を参照した説明及び理解を容易にするために一字状で形成された円筒形の本体１０が上部に配置され、配管ソケット２０が下部に配置される垂直方向を基準に説明したことを予め明らかにして置く。
【００３２】
図１乃至図５で示すように、本発明の第１の実施形態に係るグルーブ式管継手アダプター１は例えば、鋼管、銅管、鋳鉄管、ステンレススチール管、ＰＶＣ管などからなる２本の接続用管を互いに継合できるように円筒形の本体１０を含む。ここで、上記２本の接続用管は説明及び理解を容易にするために、以下では第１の接続用管２及び接続用管３を称することを予め説明して置く。
【００３３】
上記円筒形の本体１０は、例えば図面上の直管、Ｔ字管、又はエルボ（Ｅｌｂｏｗ）を含む曲管で形成される第１の接続用管２の先端２ａが挿入される挿し口１１が下端に設けられ、上端の外径に、例えば直管からなる第２の接続用管３と締結するためのグルーブ１２が形成される。
【００３４】
また、円筒形の本体１０は挿し口１１と連結される下部内側に案内部１３が斜め方向に形成される。さらに外部両側にボルトと一般ナット、またはフランジナット（Ｆｌａｎｇｅ  Ｎｕｔ）と呼ばれる緩み止めナットの組合せからなる通常の締結手段が締結される第１の締結固定部１４が設けられ、内周面に固定部１５が突出形成され、いわゆる仕切りの役割を果たすことになる。
【００３５】
ここで上記第１の締結固定部１４は、例えばボルト穴（Ｈｏｌｅ）が楕円形で形成されボルトの頭部が回転されないように保持することになり、そうすることでナットの回転によって締結が行われる。さらに円筒形の本体１０との間に例えば、リブ１４ａが設けられることによって、ボルト締結過程で発生する撓みや破損などを防ぐことができる。
【００３６】
このような第１の締結固定部１４が管軸方向と交差する方向に外部両側に設けられた円筒形の本体１０は、例えば固定部１５を中心に挿し口１１が設けられた下端の直径とグルーブが１２が形成された上端の直径を同一に備えることができ、一方上記下端の直径より上端の直径を狭く備えることができる。
【００３７】
即ち、円筒形の本体１０の下端及び上端の直径を同一、又は異なるように備えるのは第１の接続用管２及び第２の接続用管３の外径が同一若しくは異なっても現場でこれを容易に締結作業を行うためである。
【００３８】
さらに上記円筒形の本体１０は、例えば鋳鉄や鋼鉄、又はステンレススチールを鋳造する方法で作製することができる。従って本発明の第１の実施形態によれば締結作業過程における破損や締結作業後の耐久性の面において生じる問題などを防止することができる。
【００３９】
一方、本発明の第１の実施形態に係るグルーブ式管継手アダプター１は、円筒形の本体１０の内壁に管軸方向に締結できるように第１の締結固定部１４にボルト締結される第２の締結固定部２１が外部両側に形成され、挿し口１１を介して円筒形の本体１０に差し込まれる突出部２２が上面に形成された配管ソケット２０を含む。
【００４０】
また、上記円筒形の本体１０の挿し口１１側に配置され、第１の締結固定部１４及び第２の締結固定部２１のボルト締結時、突出部２２を介して案内部１３に沿って固定部１５側にスライド移動し、両端が離隔して形成された加圧用リング３０、及び上記案内部１３の内側に配置され両端が離隔して形成され内周面に第１の接続用管２の外周面を把持するための少なくとも１つ以上の楔形ギア４１が斜め方向に突出形成された止め輪４０を含む。
【００４１】
上記配管ソケット２０は加圧作用によって第１の接続用管２を円筒形の本体１０に継合せるための構成要素として、例えば上記円筒形の本体１０と同様に鋳鉄や鋼鉄、或はステンレススチールを鋳造する方法で作製してもよいが、必ずしもこれに限定するものではないことを明らかにして置く。
【００４２】
ここで、配管ソケット２０は外部両側に設けられた第２の締結固定部２１との間にリブ２１ａを形成することによって、ボルトとナットの締結過程で上記第２の締結固定部２１が撓んだり破損されたりすることを防止することができる。さらに上面に突出部２２を円錐形で形成することによって、案内部１３が設けられた円筒形の本体１０の下部に挿し口１１を介して容易に挿入できるようになる。
【００４３】
上記加圧用リング３０は、例えば通常のスナップリング（Ｓｎａｐ  ｒｉｎｇ）のように両端が離隔して形成され円筒形の本体１０の挿し口１１側に配置され、第１の締結固定部１４及び第２の締結固定部２１のボルト締結時、突出部２２を介して案内部１３に沿って固定部１５側にスライド移動するようになる。該加圧用リング３０は、例えば水分との接触による腐食の懸念がないステンレススチールで具備することができるが、必ずしもこれに限定するものではない。
【００４４】
上記加圧用リング３０のスライド移動時、案内部１３を沿って同一方向にスライド移動する止め輪４０もステンレススチールによって両端が離隔して形成され上記案内部１３の内側に配置される。
【００４５】
ここで、上記止め輪４０の内周面に少なくとも１つ以上で設けられる楔形ギア４１は、例えば下方に向かって斜め方向に突出形成されることによって、挿し口１１を介して差し込まれる第１の接続用管２の外周面を把持するようになる。
【００４６】
また、上記楔形ギア４１を介して第１の接続用管２をより容易に把持するためには止め輪４０の内周面に少なくとも２つ以上の楔形ギア４１を具備することであり、この際上記楔形ギア４１は互いに反対方向に配置してもよい。
【００４７】
従って、本発明の第１の実施形態によれば、楔形ギア４１を介して円筒形の本体１０に差し込まれる第１の接続用管２の外周面を把持することによって、上記第１の接続用管２の分離防止面において効果的である。
【００４８】
一方、本発明の第１の実施形態に係るグルーブ式管継手アダプター１は止め輪４０の図面上の上側及び固定部１５の下側に配置され、内部に凸凹部６１が設けられ、第１の接続用管２の先端２ａと密着する止め部６２が内側に突出形成されたゴム輪６０を含む。ここで、上記凸凹部６１はシワ部で解釈しても構わない。
【００４９】
即ち、上記ゴム輪６０は配管ソケット２０を介して加圧する際、管軸方向に圧縮されながら相対的に幅方向に膨張するため、凸凹部６１を介して第１の接続用管２の外周面を把持すると同時に水漏れ防止及び振動などによる騒音発生を防止できるようになる。
【００５０】
該ゴム輪６０の上端に設けられた止め部６２の直径が下端の直径より小さく形成されるようにテーパー（Ｔａｐｅｒ）が形成されてもよいが、これはテーパー形成された止め部６２を介して第１の接続用管２の先端２ａの挿入位置を容易に決めることができるからである。
【００５１】
従って、本発明の第１の実施形態によれば、ゴム輪６０を介して第１の接続用管２の挿入位置を決めること、外周面を容易に把持して固定することができ、且つ凸凹部６１と第１の接続用管２の間に一種の空間が形成され吸音作用が起こるので、騒音防止の側面でも効果的である。
【００５２】
一方、本発明の第１の実施形態に係るグルーブ式管継手アダプター１は円筒形の本体１０と配管ソケット２０の間に介在され漏水を防止する水漏れ防止用リング、上記円筒形の本体１０とゴム輪６０の間に介在され上記ゴム輪６０を保護するゴム輪のバックアップリング５１及び上記ゴム輪６０と止め輪４０の間に介在され上記止め輪４０のスライド移動時、ゴム輪６０を加圧して圧縮するゴム輪の抜け止め押輪５２を含むことができる。
【００５３】
即ち、上記水漏れ防止用リングを介して円筒形の本体１０と配管ソケット２０、又はゴム輪６０の間に流体が流れ込まれ発生する水漏れ現象を防止することができる。該水漏れ防止用リングはパッキン輪とも言える。さらにゴム輪のバックアップリング５１は圧縮膨張するゴム輪６０を保護して寿命を延ばすことができる。
【００５４】
ここで、上記ゴム輪の抜け止め押輪５２は下端が止め輪４０に、一方上面がゴム輪６０に密着するように横断面がロ字状で形成され上記止め輪４０のスライド移動時、ゴム輪６０を上部方向に圧縮して膨張するようになるが、第１の接続用管２の口径や流体の流動圧力程度に応じて選択的に使用してもよい。
【００５５】
従って、本発明の第１の実施形態によれば、水漏れ防止用リングによる水漏れ防止と共にゴム輪のバックアップリング５１によるゴム輪６０の保護によって寿命延長が可能となり、且つゴム輪の抜け止め押輪５２を介してゴム輪６０が容易に圧着することができるので第１の接続用管２の分離防止面でも効果的である。
【００５６】
以下、本発明の第１の実施形態に係るグルーブ式管継手アダプター１に係る第１の接続用管２及び第３の接続用管３の接続方法について具体的に説明すると次のとおりである。
【００５７】
図３乃至図４に示すように、本発明の第１の実施形態に係るグルーブ式管継手アダプター１は円筒形の本体１０の下端に設けられた挿し口１１を介して第１の接続用管２の先端２ａをゴム輪６０の止め部６２まで差し込むことによって継合が行われるようになり、上端に形成されたグルーブを介して第２の接続用管３と継合され結果的に第１の接続用管２及び第３の接続用管３を継合するようになる。
【００５８】
ここで、上記円筒形の本体１０と第２の接続用管３の継合は、例えば通常のグルーブ式管継手４によって実施することができる。即ち、円筒形の本体１０の上端に第２の接続用管３を接続させて形成された接続部にリングガスケット４ｂが内部に具備された管継手カップリング４ａを締結することによって、上記円筒形の本体１０の上端と第２の接続用管３を管軸方向に継合することになる。
【００５９】
ここで、上記リングガスケット４ｂ及び継手カップリング４ａを含むグルーブ式管継手４は公知構成であり、より具体的な説明がなくても容易に実施することができるため、以下省略することを予め明らかにして置く。
【００６０】
該グルーブ式管継手４を介して円筒形の本体１０の上端と第２の接続用管３の継合が完了した後、上記円筒形の本体１０の下端に設けられた挿し口１１に第１の接続用管２の先端２ａを差し込む。
【００６１】
その後、上記円筒形の本体１０に設けられた第１の締結固定部１４と配管ソケット２０に設けられた第２の締結固定部１５をボルト締結して締めることによって、上記配管ソケット２０に形成された凸凹部２２が加圧用リング３０を加圧することになり、このような加圧によって上記加圧用リング３０と止め輪４０は互いに離隔して形成された両端が収縮しながら案内部１３に沿ってスライド移動するようになる。
【００６２】
即ち、上記止め輪４０の収縮及びスライド移動によって楔形ギア４１が第１の接続用管２の外周面を把持して１次固定することになり、さらに止め輪４０のスライド移動と同時にゴム輪の抜け止め押輪５２を介したゴム輪６０の圧縮による膨張で上記第１の接続用管２の外周面を把持して２次固定することになる。
【００６３】
従って、本発明の第１の実施形態によれば、第１の接続用管２及び第３の接続用管３の先端に溝加工を行わなくてもこれらを容易に締結することができるので施工性及び生産性が優れ、且つコスト削減の効果を有する。またグルーブ溝加工がないため外径さえ合えば互いに異なる材質の管も容易に継合することができるので、効率的に施工を行うことができる。
【００６４】
図６は本発明の第１の実施形態に係るグルーブ式管継手アダプター１を示す平面図であり、大口径の接続用管に対応するように円筒形の本体１０の外部に十字状で第１の締結固定部１４が設けられたものを示している。
【００６５】
即ち、図６に示しているように、本発明の第１の実施形態に係るグルーブ式管継手アダプター１は第１の接続用管の外径が、例えば１５０ｍｍ以上の大口径や流体が高圧で流動する場合には第１の締結固定部１４を円筒形の本体１０の外部に十字状で形成して使用することができ、配管ソケットに形成される第２の締結固定部も十字状で形成して対応するようになる。
【００６６】
以上、上記本発明を第１の実施形態に従って詳しく説明したが、これは本発明を具体的に説明するためのものであって、本発明によるグルーブ式管継手アダプターはこれに限定されない。さらに上記「含む」、「構成する」、または「有する」などの用語は、特別に反対となる記載がない限り、該当する構成要素が内在できることを意味するものであるので、他の構成要素を除外するものではなく、他の構成要素を更に含むことができるものと解釈されるべきである。技術的または科学的な用語を含んだ全ての用語は、特に定義されない限り、本発明が属する技術分野において通常の知識を有する者によって一般的に理解されるものと同じ意味を有する。
【００６７】
なお、以上の説明は、本発明の技術的思想を例示的に説明したことに過ぎないものであって、本発明が属する技術分野において通常の知識を有する者であれば、本発明の本質的な特性から外れない範囲で多様な修正及び変形が可能である。従って、本発明に開示された実施例は、本発明の技術思想を限定するためのものではなく、説明するためのものであり、このような実施例により本発明の技術思想の範囲が限定されるものではない。本発明の保護範囲は特許請求の範囲により解釈されるべきであり、それと同等な範囲内にある全ての技術的思想は本発明の権利範囲に含まれる。
【符号の説明】
【００６８】
１  グルーブ式管継手アダプター
２  第１の接続用管
２ａ  第１の接続用管の先端
３  第２の接続用管
４  グルーブ式管継手
４ａ  管継手カップリング
４ｂ  リングガスケット
１０  円筒形の本体
１１  挿し口
１２  グルーブ
１３  案内部
１４  第１の締結固定部
１４ａ  リブ
２１ａ  リブ
１５  固定部
２０  配管ソケット
２１  第２の締結固定部
２２  突出部
３０  加圧用リング
４０  止め輪
４１  楔形ギア
５０  水漏れ防止用リング
５１  ゴム輪のバックアップリング
５２  ゴム輪の抜け止め押輪
６０  ゴム輪
６１  凸凹部
６２  止め部
【図１】
2019044951.tif 000003
【図２】
2019044951.tif 000004
【図３】
2019044951.tif 000005
【図４】
2019044951.tif 000006
【図５】
2019044951.tif 000007
【図６】
2019044951.tif 000008
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
接続用管の先端が挿入される挿し口が一端に設けられ、他端の外径にグルーブが形成され、前記挿し口と連結される内側に斜め方向に案内部が設けられ、外部両側に第１の締結固定部が備えられ、内周面に固定部が突出形成された円筒形の本体と、
前記第１の締結固定部にボルト締結される第２の締結固定部が外部両側に設けられ、挿し口を介して円筒形の本体に挿入される突出部が一面に形成された配管ソケットと、
前記円筒形の本体の挿し口側に配置され、第１の締結固定部及び第２の締結固定部のボルト締結時、突出部を介して案内部に沿って固定部側にスライド移動し、両端が離隔して形成された加圧用リングと、
前記案内部の内側に配置され、突出部を介した加圧用リングの移動時、案内部に沿ってスライド移動し、両端が離隔して形成され、内周面に接続用管の外周面を把持するための少なくとも１つ以上の楔形ギアが斜め方向に突出形成された止め輪と、
前記円筒形の本体の内側に配置され圧縮による膨張によって接続用管を把持し、内周面に凸凹部が設けられ、前記接続用管の先端と密着する止め部が内側に突出形成されたゴム輪とを含む
ことを特徴とするグルーブ式管継手アダプター。
【請求項２】
前記円筒形の本体は、挿し口が設けられた一端の直径より外径にグルーブが形成された他端の直径の方が狭く形成される
請求項１記載のグルーブ式管継手アダプター。
【請求項３】
前記楔形ギアは少なくとも２つ以上で具備され、互いに反対方向に向かって配置される
請求項１記載のグルーブ式管継手アダプター。
【請求項４】
前記接続用管は直管、Ｔ字管、またはエルボーを含む曲管で具備される
請求項１記載のグルーブ式管継手アダプター。